(57)【要約】【課題】より高い薬効が得られる子宮用治療具を実現する。【解決手段】子宮頸管１００に接触され、ダナゾールを放出する薬剤放出部２０と、子宮内膜１２０に接触することで、薬剤放出部２０の子宮頸管１１０からの離脱を防止する離脱防止部３０と、一端４１が離脱防止部に取り付けられ、他端４２が薬剤放出部２０から露出されている尾部４０とを有し、薬剤放出部２０は、ダナゾールを含有する樹脂で作製された、弾性を有する棒状部材であり、離脱防止部３０は、基軸３１と、根本が基軸３１に設けられ、先端が子宮内膜１２０に接触される枝軸３２とを有し、枝軸３２は、薬剤放出部２０から離隔するほど基軸３１へ近接するように、基軸３１に対して斜めに形成されている。【選択図】  図２
2005304750.tif 000002
【特許請求の範囲】
【請求項１】
子宮頸管に接触され、薬剤を放出する薬剤放出部と、
子宮内膜に接触することで、前記薬剤放出部の前記子宮頸管からの離脱を防止する離脱防止部と、
を有する子宮用治療具。
【請求項２】
請求項１に記載の子宮用治療具であって、
前記薬剤放出部は、
前記薬剤を含有する樹脂で作製された棒状部材である子宮用治療具。
【請求項３】
請求項２に記載の子宮用治療具であって、
前記棒状部材は、弾性を有する子宮用治療具。
【請求項４】
請求項１から請求項３のいずれかに記載の子宮用治療具であって、
前記薬剤は、ダナゾールである子宮用治療具。
【請求項５】
請求項１から請求項４のいずれかに記載の子宮用治療具であって、
前記離脱防止部は、
前記薬剤放出部が取り付けられる基軸と、
根本が前記基軸に設けられ、先端が前記子宮内膜に接触される枝軸と、
を有する子宮用治療具。
【請求項６】
請求項５に記載の子宮用治療具であって、
前記離脱防止部は、
複数の枝軸が前記基軸に対して斜めに設けられた魚骨形である子宮用治療具。
【請求項７】
請求項１から請求項６のいずれかに記載の子宮用治療具であって、
一端が前記離脱防止部に取り付けられ、他端が前記薬剤放出部から露出されている、取り外し補助部を有する子宮用治療具。
【請求項８】
子宮頸管に接触され、薬剤を放出する薬剤放出部と、
子宮内膜に接触することで、前記薬剤放出部の前記子宮頸管からの離脱を防止する離脱防止部と、
一端が前記離脱防止部に取り付けられ、他端が前記薬剤放出部から露出されている、取り外し補助部と、を有し、
前記薬剤放出部は、前記薬剤を含有する樹脂で作製された、弾性を有する棒状部材であり、
前記薬剤は、ダナゾールであり、
前記離脱防止部は、
前記薬剤放出部が取り付けられる基軸と、
根本が前記基軸に設けられ、先端が前記子宮内膜に接触される枝軸と、を有し、
複数の枝軸が前記基軸に対して斜めに設けられた魚骨形である子宮用治療具。
【発明の詳細な説明】
【技術分野】
【０００１】
本発明は、子宮の疾患を治療する目的で子宮に装着される子宮用治療具に関する。
【背景技術】
【０００２】
子宮の疾患を治療する目的で子宮に装着される子宮用治療具としては、例えば、Ｔ字型或いはリング型の外観形状とされ、子宮体部でダナゾールを放出するものがある（例えば、特許文献１を参照。）。この子宮用治療具は、治療時において、その全体が子宮体部に挿入される。これは、この子宮用治療具が、子宮腺筋症の治療を対象としているためと考えられる。すなわち、子宮用治療具の全体を子宮体部に挿入する目的は、子宮用治療具から放出されたダナゾールを、子宮内膜を介して最短距離で子宮筋層へ吸収させるためと考えられる。
【特許文献１】特開平１−２２１３１８号公報
【発明の開示】
【発明が解決しようとする課題】
【０００３】
ところで、従来の子宮用治療具は、子宮腺筋症の治療には有効であった。しかしながら、子宮腺筋症よりも重度な疾患について、その症状を改善させるまでの薬効を発揮するには至らなかった。例えば、前癌状態や０期の子宮体癌に関し、これらの症状を改善させるまでの薬効を発揮するには至らなかった。  
本発明は、かかる課題に鑑みてなされたものであり、その目的とするところは、より高い薬効が得られる子宮用治療具を実現することにある。
【課題を解決するための手段】
【０００４】
主たる発明は、
子宮頸管に接触され、薬剤を放出する薬剤放出部と、
子宮内膜に接触することで、前記薬剤放出部の前記子宮頸管からの離脱を防止する離脱防止部と、
を有する子宮用治療具である。
【発明の効果】
【０００５】
このような子宮用治療具によれば、より高い薬効が得られる。
【発明を実施するための最良の形態】
【０００６】
＝＝＝開示の概要＝＝＝
本明細書の記載、及び添付図面の記載により、少なくとも次のことが明らかにされる。
【０００７】
すなわち、子宮頸管に接触され、薬剤を放出する薬剤放出部と、前記薬剤放出部が取り付けられ、子宮内膜に接触することで、前記薬剤放出部の前記子宮頸管からの離脱を防止する離脱防止部と、を有する子宮用治療具を実現することができる。  
このような子宮用治療具によれば、離脱防止部によって、薬剤放出部の子宮頸管からの離脱が防止される。これにより、薬剤放出部から放出された薬剤は、子宮頸管の周囲において、豊富に存在する血管、リンパ節、受容体を通じて吸収され、子宮全体に行き渡る。すなわち、薬剤は、これらの血管、リンパ節、受容体を通じて患部に伝播される。このように、血管やリンパ節等を通じて薬剤が患部に伝播するため、薬剤を患部に対して効率よく作用させることができる。その結果、より高い薬効が得られる。
【０００８】
かかる子宮用治療具であって、前記薬剤放出部は、前記薬剤を含有する樹脂で作製された棒状部材であること。  
このような子宮用治療具によれば、薬剤が樹脂に含有されていることから、薬剤を容易に含有させることができる。例えば、未硬化の樹脂に薬剤を混合し、それを硬化させたり、予め硬化させた樹脂に薬剤を含浸させたりすることで、薬剤を樹脂に含有させることができる。
【０００９】
かかる子宮用治療具であって、前記棒状部材は、弾性を有すること。  
このような子宮用治療具によれば、棒状部材が子宮頸管に応じて変形する。これにより、子宮用治療具の装着に起因して生じる違和感を抑えることができる。従って、治療が長期間に亘っても子宮用治療具を快適に使用させることができる。
【００１０】
かかる子宮用治療具であって、前記薬剤は、ダナゾールであること。  
このような子宮用治療具によれば、子宮腺筋症よりも重度な前癌状態や０期の子宮体癌であっても、これらの症状を改善させることができる。
【００１１】
かかる子宮用治療具であって、前記離脱防止部は、前記薬剤放出部が取り付けられる基軸と、根本が前記基軸に設けられ、先端が前記子宮内膜に接触される枝軸と、を有すること。  
このような子宮用治療具によれば、基軸と枝軸とからなる簡単な構造であるので、製造が容易である。また、枝軸及び基軸が子宮内膜に接触されることから、これらの各軸によって子宮体部における精子の卵管への進入を防止できる。このため、治療中における不測の妊娠を防止することもできる。
【００１２】
かかる子宮用治療具であって、前記離脱防止部は、複数の枝軸が前記基軸に対して斜めに設けられた魚骨形であること。  
このような子宮用治療具によれば、各枝軸が基軸に対して斜めに形成されているので、離脱防止部が子宮頸管を通過する際において、各枝軸を子宮頸管に引っ掛かり難くすることができる。また、装着後においては、各枝軸を子宮内膜に確実に引っ掛かけることができ、薬剤放出部の子宮頸管からの離脱を確実に防止することができる。
【００１３】
かかる子宮用治療具であって、一端が前記離脱防止部に取り付けられ、他端が前記薬剤放出部から露出されている、取り外し補助部を有すること。  
このような子宮用治療具によれば、取り外し補助部を利用することで、装着状態の子宮用治療具を容易に取り外すことができる。例えば、取り外し補助部を鉗子で挟んで引っ張ることで、子宮用治療具を取り外すことができる。また、この取り外し補助部は、他端が薬剤放出部から露出されているので、子宮用治療具の挿入度合いを判断するための指標ともなる。従って、子宮用治療具の挿入しすぎ等を未然に防止することもできる。
【００１４】
また、子宮頸管に接触され、薬剤を放出する薬剤放出部と、子宮内膜に接触することで、前記薬剤放出部の前記子宮頸管からの離脱を防止する離脱防止部と、一端が前記離脱防止部に取り付けられ、他端が前記薬剤放出部から露出されている、取り外し補助部と、を有し、前記薬剤放出部は、前記薬剤を含有する樹脂で作製された、弾性を有する棒状部材であり、前記薬剤は、ダナゾールであり、前記離脱防止部は、前記薬剤放出部が取り付けられる基軸と、根本が前記基軸に設けられ、先端が前記子宮内膜に接触される枝軸と、を有し、複数の枝軸が前記基軸に対して斜めに設けられた魚骨形である子宮用治療具を実現することができる。  
このような子宮用治療具によれば、既述のほぼ全ての効果を奏するため、本発明の目的が最も有効に達成される。
【００１５】
＝＝＝子宮内治療具の実施形態＝＝＝
＜子宮内治療具の構成について＞
以下、本発明の実施の形態を、図面を参照して説明する。ここで、図１は、子宮用治療具１０の実施形態を説明する図である。図２は、子宮用治療具１０が子宮１００に装着された状態を示す模式図である。この子宮用治療具１０は、薬剤放出部２０、離脱防止部３０、及び尾部４０を有している。
【００１６】
薬剤放出部２０は、使用時、つまり子宮用治療具１０による治療時において、子宮頸管１１０に接触し、薬剤としてのダナゾールを外部に放出する。例示した薬剤放出部２０は、弾性を有する樹脂製の棒状部材であり、ダナゾールが含有された樹脂によって構成されている。この薬剤放出部２０の形状は、子宮頸管１１０に応じて定められる。例えば、薬剤放出部２０の太さは、子宮頸管１１０の径に応じて定められる。すなわち、薬剤放出部２０は、子宮頸管１１０の径と同じ太さに、或いは子宮頸管１１０の径よりも一回り太く形成される。また、薬剤放出部２０の長さは、子宮頸管１１０の長さ（標準的には２０ｍｍ）に応じて定められる。例えば、薬剤放出部２０の長さは、子宮頸管１１０と同じか、子宮頸管１１０よりも長く設定される。本実施形態では、これらの観点から、薬剤放出部２０の形状を、１辺が２ｍｍ程度の略正方形状の断面を有し、長さが約３０ｍｍの角柱状としている。この構成により、治療時における子宮頸管１１０と薬剤放出部２０との良好な接触状態を維持している。また、薬剤放出部２０は、弾性を有しているので、子宮頸管１１０の形状に応じて変形する。これにより、装着に起因する違和感を抑えることができる。従って、治療が長期間に亘っても、子宮用治療具１０を快適に使用させることができる。
【００１７】
また、薬剤放出部２０を構成する樹脂としては、例えばシリコン樹脂が好適に用いられる。そして、薬剤としてのダナゾールは、硬化前のシリコン樹脂に予め混合されている。言い換えると、薬剤放出部２０の製造は、薬剤が混合された硬化前樹脂を硬化させることでなされる。このような製造方法を採ると、薬剤放出部２０において、ダナゾールを均一に含有させることができる。また、薬剤放出部２０の製造作業も容易である。なお、薬剤放出部２０は、ダナゾールの他に放出促進剤も含有している。この放出促進剤は、治療中において、薬剤放出部２０からのダナゾールの放出を促進させるものである。この放出促進剤もまた、ダナゾールと同様に、硬化前のシリコン樹脂に予め混合されることで、薬剤放出部２０に含有される。従って、この点においても、薬剤放出部２０の製造は容易である。
【００１８】
離脱防止部３０は、薬剤放出部２０が取り付けられる部材である。この離脱防止部３０は、治療時に子宮内膜１２０に接触し、薬剤放出部２０の子宮頸管１１０からの離脱を防止するものである。この離脱防止部３０は、基軸３１（「縦軸」に相当する。）と、根本が基軸３１に設けられる複数の枝軸３２（「斜方軸」に相当する。）とを有する。そして、この離脱防止部３０は、弾性を有する素材、例えば、樹脂によって作製される。基軸３１は棒状に作製された部材である。そして、この基軸３１の一端は、取付端に相当し、薬剤放出部２０が取り付けられる。この実施形態では、薬剤放出部２０の先端部分（３ｍｍ程度）が基軸３１の一端を覆うように取り付けられている。枝軸３２もまた、棒状に作製された部材であり、その根本が基軸３１と一体に設けられている。
【００１９】
この枝軸３２は、１本の基軸３１に対して複数本設けられ、且つ、この基軸３１に対して斜め方向に設けられている。具体的には、枝軸３２は、基軸３１の一側に４本、他側に４本設けられ、薬剤放出部２０から離隔するほど（つまり、取付端とは反対側となる基軸３１の他端に向かうほど）、基軸３１へ近接する向きに形成されている。そして、各枝軸３２は、同じ平面上に設けられている。従って、離脱防止部３０は、基軸３１と枝軸３２とにより、魚骨形（herringbone）に形成されている。そして、各枝軸３２に関し、基軸３１の一側に設けられている４本の枝軸３２は、互いにほぼ平行である。同様に、基軸３１の他側に設けられている４本の枝軸３２についても、互いにほぼ平行である。
【００２０】
加えて、各枝軸３２に関し、その長さは、基軸３１の一端側（薬剤放出部２０側）に近いものほど短い。これは、使用時において、各枝軸３２の先端３２１を確実に子宮内膜１２０に接触させるためである。すなわち、子宮内膜１２０によって区画される子宮腔１３０は、子宮頸管１１０に近づくほどにその幅が狭くなる逆三角形状の空間である。そして、離脱防止部３０は、使用時において子宮腔１３０に配置される。従って、薬剤放出部２０側に近い枝軸３２ほど、その長さを短くすることで、各枝軸３２の先端３２１を確実に子宮内膜１２０に接触させることができる。なお、この実施形態において、枝軸３２の先端３２１は球状に設けられている。これは、使用時において、子宮内膜１２０の損傷を防止するためである。
【００２１】
尾部４０は、一端４１が離脱防止部３０に取り付けられ、他端４２が薬剤放出部２０から露出されている。この尾部４０は、取り外し補助部に相当し、装着状態の子宮用治療具１０を取り外す際に用いられる。このため、尾部４０の他端４２は、使用時において子宮頸管１１０よりも外側（膣側）に配置される。この実施形態において、尾部４０は樹脂製の線状部材（例えば、ナイロン線）によって構成されている。また、尾部４０の一端４１は、基軸３１の一端（取付端）に固定されている。この実施形態では、基軸３１の一端に、この部分を貫通する取付孔３１１が設けられており、尾部４０の一端４１を取付孔３１１に通し、基軸３１に結びつけている。この尾部４０は、薬剤放出部２０の長手方向（軸方向）に沿って、薬剤放出部２０に埋設されている。そして、この尾部４０は、薬剤放出部２０の自由端から外部に露出している。このため、尾部４０は、薬剤放出部２０よりも長く設けられ、この例では９５ｍｍとされる。また、この実施形態では、外部に露出されている尾部４０の他端４２を、薬剤放出部２０側に向けて折り返している。
【００２２】
＜子宮用治療具の使用方法について＞
次に、この子宮用治療具１０の使用方法について説明する。  
この子宮用治療具１０は、ケリー鉗子等の器具を使用して子宮１００に装着される。ここで、前述したように、離脱防止部３０の各枝軸３２は弾性を有している。このため、装着時において、各枝軸３２は、子宮頸管１１０に沿って、或いは、器具に挟まれて、基軸３１に沿った状態に変形される。言い換えると、離脱防止部３０は、子宮頸管１１０の通過時において枝軸３２が閉じた状態となる。このように、枝軸３２が閉じた状態となることにより、患者の痛みを和らげることができる。その結果、従来必要とされた麻酔を不要とすることもできる。
【００２３】
そして、子宮用治療具１０の子宮１００内における位置、言い換えると、薬剤放出部２０や離脱防止部３０の挿入深度は、装着作業者（例えば医師）による目視によって確認される。すなわち、装着作業者は、薬剤放出部２０や尾部４０の子宮頸管１１０からの露出長さに基づき、子宮用治療具１０の子宮１００内における位置を判断できる。これは、離脱防止部３０の基軸３１の長さ、薬剤放出部２０の長さ、及び尾部４０の他端（外部に露出されている部分）の長さが既知であることによる。従って、この構成によれば、薬剤放出部２０を子宮頸管１１０に対して正確に位置付けることができる。
【００２４】
また、離脱防止部３０に関し、前述した変形が解かれた枝軸３２は、子宮腔１３０内において通常の位置に復帰する。つまり、枝軸３２は、その弾性によって前述した魚骨形に拡がる。そして、各枝軸３２が魚骨形に拡がると、各枝軸３２の先端３２１が子宮内膜１２０の表面に接し、子宮用治療具１０の離脱を防止する。このとき、装着された子宮用治療具１０は異物と認識されるため、子宮１００は、この子宮用治療具１０を排出しようと運動する。従って、離脱防止部３０は、子宮１００の運動によって子宮頸管１１０側に押し付けられる。このとき、枝軸３２の先端３２１が子宮内膜１２０に接触しているので、子宮１００が運動したとしても、離脱防止部３０は排出されない。その結果、子宮用治療具１０の位置が固定され、薬剤放出部２０を子宮頸管１１０に対して確実に配置できる。
【００２５】
一方、装着状態の子宮用治療具１０を取り外す場合には、前述した尾部４０を利用する。すなわち、子宮用治療具１０の装着状態において、尾部４０の他端４２は、薬剤放出部２０から露出している。言い換えれば、子宮頸管１１０の外側（膣側）に露出している。そして、取り外し作業者（例えば医師）は、尾部４０の他端４２をケリー鉗子等の器具で挟んで引っ張ることで、子宮用治療具１０を取り外すことができる。このとき、前述したように、枝軸３２が弾性を有しているので、枝軸３２が屈曲し、子宮頸管１１０内を通過させることができる。また、枝軸３２の先端３２１が球状であるため、枝軸３２が屈曲する程度の力が加えられたとしても、子宮内膜１２０の損傷を防止することができる。加えて、尾部４０の一端４１が離脱防止部３０に取り付けられているので、尾部４０を引っ張った際の機械的なストレスが薬剤放出部２０に掛かり難い。このため、子宮用治療具１０を取り外す時における薬剤放出部２０の破損を確実に防止できる。
【００２６】
＜子宮用治療具の薬効について＞
次に、この子宮用治療具１０による薬効について説明する。ここで、図３は、子宮頸部１４０（内部に子宮頸管１１０を有する部分）の表面に存在する血管と、薬剤放出部２０の位置関係を説明する模式図である。図４Ａ及び図４Ｂは、子宮１００の周辺に存在する血管を説明する模式図である。図５は、子宮１００の周辺に存在するリンパ節を説明する模式図である。図６は、子宮用治療具１０が装着された子宮１００の内部及びその周辺部を、枝軸３２の形成方向とは交差する方向に切断して示す模式図である。
【００２７】
図３、図４Ａ、及び図４Ｂに示すように、子宮頸部１４０の周りには、血管やリンパ節が豊富に存在している。例えば、血管に関し、子宮頸部１４０の周りには、子宮動脈２１１（子宮動脈下降枝）及び子宮静脈２２１（子宮頸静脈叢２２１ａ）等が形成されている。そして、子宮動脈２１１は、臍動脈２１２や内腸骨動脈２１３等を介して外腸骨動脈２１４に連結されている。一方、子宮静脈２２１は、内腸骨静脈２２２等を介して外腸骨静脈２２３に連結されている。さらに、子宮頸部１４０の周りには、陰部静脈２２４や卵巣動脈２１５等の血管が連結されている。従って、子宮頸管１１０は、これらの血管と直接的、間接的に連結されている。
【００２８】
また、リンパ節に関し、子宮１００の周りには外腸骨節２３１、鼡径節２３２、基靱帯節２３３、総腸骨節２３４が存在している。従って、子宮頸管１１０は、これらのリンパ節と直接的、或いは間接的に連結されている。  
加えて、この子宮頸管１１０には、エストロゲン受容体、プロゲステロン受容体、及びアンドロゲン受容体が豊富に分布されている（図示せず）。
【００２９】
このため、薬剤放出部２０から放出されたダナゾールは、これらの血管、リンパ節、受容体を通じて吸収され、子宮１００の全体に行き渡る。そして、子宮１００の全体に行き渡ったダナゾールは、エストロゲン受容体を競合的にブロックする。また、このダナゾールは、エストロゲン産生に関する酵素を抑制したり、免疫学的にナチュラルキラー細胞（ＮＫcell）を活性化したりする。その結果、症状を改善させることができる。
【００３０】
さらに、この実施形態の子宮用治療具１０を用いることにより、従来の子宮用治療具では治癒が困難であった０期の子宮体癌や前癌状態に対しても、症状を効果的に改善することができる。これは、子宮体癌にエストロゲン依存性があるためと考えられる。近年、日本において子宮体癌の増加傾向が認められるが、これは欧米式の食習慣に基づく肥満も一因と考えられる。つまり、脂肪組織に含まれているエストロゲンが、子宮体癌の誘発要因となっていると考えられる。この子宮用治療具１０では、前述したように、薬剤放出部２０が子宮頸管１１０に位置する。このため、薬剤放出部２０から放出されたダナゾールは、この子宮頸管１１０において豊富に存在するエストロゲン受容体を、最短距離で直接的にブロックする。従って、従来の子宮用治療具に比べて、より多くのエストロゲン受容体を確実に、そして短期間にブロックすることができ、その結果として０期の子宮体癌や前癌状態にする改善効果が得られたと考えられる。
【００３１】
また、この子宮用治療具１０を用いることにより、薬効を早期に得ることができる。例えば、病理学的改善までに要した時間について、統計学的比較検定（Student t test）を行ったところ、従来の子宮用治療具（子宮腔内リング型の治療具による治療例）では３．４±１．２（月）であったのに対し、本実施形態の子宮用治療具１０（子宮頸管接触型の治療具による治療例）では１．６±０．９（月）であった。このように、本実施形態の子宮用治療具１０と従来の子宮用治療具とでは、病理学的改善までに要した時間について、有意の差が認められる。このことからも、本実施形態の子宮用治療具１０は、従来の子宮用治療具に比べて優れたものといえるのである。
【００３２】
また、図２及び図６に示すように、子宮用治療具１０の装着状態において、各枝軸３２の先端３２１は子宮内膜１２０に接触している。これにより、子宮腔１３０内には、子宮内膜１２０、基軸３１、及び枝軸３２によって区画された空間（便宜上、区画空間１３１ともいう。）が形成される。この区画空間１３１は、枝軸３２に応じた数が形成される。そして、この区画空間１３１を形成する枝軸３２及び基軸３１により、精子の卵管への進入を防止することができる。これにより、子宮用治療具１０による治療期間中に、子宮頸管１１０から子宮腔１３０に精子が進入してしまったとしても、不測の妊娠を確実に防止することができる。
【００３３】
＝＝＝子宮用治療具の他の実施形態＝＝＝
ところで、前述した子宮用治療具１０の実施形態は、あくまで一例であり、この構成に限定されるものではない。例えば、以下に説明する実施形態であってもよい。
【００３４】
＜薬剤放出部について＞
前述した実施形態では、薬剤放出部２０に関し、角柱状のものを例示したが、この形状に限定されるものではない。例えば、薬剤放出部２０を円柱形状としてもよい。また、薬剤放出部２０をブロック形状としてもよく、細長い球形状（楕円球形状）としてもよい。加えて、薬剤放出部２０の長さを、子宮頸管１１０よりも短くしてもよい。
【００３５】
次に、ダナゾールを含有させる方法に関し、前述した実施形態では、硬化前のシリコン樹脂にダナゾール及び放出促進剤を混合し、これを硬化させていたが、この方法に限定されるものではない。例えば、予め硬化させた樹脂にダナゾールや放出促進剤を含浸させる方法を採ってもよい。なお、この場合において、樹脂は発泡状態で硬化させるようにすることが好ましい。これは、発泡によって生じた空隙を通じ、薬剤を効率よく含浸させることができるからである。
【００３６】
次に、薬剤放出部２０から放出される薬剤に関し、前述した実施形態ではダナゾールであったが、ダナゾールに限定されるものではない。子宮頸管１１０から血管、リンパ節、受容体等を通じて子宮１００全体に伝播される薬剤であればよい。
【００３７】
次に、薬剤放出部２０に関し、前述した実施形態では、シリコン樹脂を用いていたが、この樹脂に限定されるものではない。例えば、他の種類の樹脂であってもよいし、銅等の金属を用いてもよい。
【００３８】
＜離脱防止部について＞
前述した実施形態では、離脱防止部３０に関し、魚骨形（herringbone）のものを例示したが、この形状に限定されるものではない。例えば、離脱防止部３０をＴ字形状としてもよい。具体的には、離脱防止部３０を、棒状の基軸と、この基軸の他端に、基軸とは直交する方向に設けられた枝軸とから構成すればよい。また、離脱防止部３０を、棒状の素材をＳ字状に湾曲させた形態を有するＳ字状部材によって構成してもよい。そして、Ｓ字状部材を用いた場合、薬剤放出部２０は、このＳ字状部材の先端に取り付けられる。さらに、この離脱防止部３０の素材に関し、樹脂以外の素材で構成してもよい。
【００３９】
＜尾部について＞
前述した実施形態では、尾部４０に関し、樹脂製の線状部材で作製されたものを例示したが、この構成に限定されるものではない。例えば、尾部４０を、帯状の部材で作製してもよい。また、樹脂以外の素材、例えば銅等の金属を用いてもよい。
【図面の簡単な説明】
【００４０】
【図１】子宮用治療具の実施形態を説明する図である。
【図２】子宮用治療具が子宮に装着された状態を示す模式図である。
【図３】子宮頸部の表面に存在する血管と、薬剤放出部の位置関係を説明する模式図である。
【図４】図４Ａ及び図４Ｂは、子宮の周辺に存在する血管を説明する模式図である。
【図５】子宮の周辺に存在するリンパ節を説明する模式図である。
【図６】子宮用治療具が装着された子宮の内部及びその周辺部を、枝軸の形成方向とは交差する方向に切断して示す模式図である。
【符号の説明】
【００４１】
１０…子宮用治療具，２０…薬剤放出部，３０…離脱防止部，３１…基軸，
３１１…取付孔，３２…枝軸，３２１…枝軸の先端，４０…尾部，４１…尾部の一端，
４２…尾部の他端，１００…子宮，１１０…子宮頸管，１２０…子宮内膜，
１３０…子宮腔，１３１…区画空間，１４０…子宮頸部，２１１…子宮動脈，
２１２…臍動脈，２１３…内腸骨動脈，２１４…外腸骨動脈，２１５…卵巣動脈，
２２１…子宮静脈，２２１ａ…子宮頸静脈叢，２２２…内腸骨静脈，
２２３…外腸骨静脈，２２４…陰部静脈，２３１…外腸骨節，２３２…鼡径節，
２３３…基靱帯節，２３４…総腸骨節
【図１】
2005304750.tif 000003
【図２】
2005304750.tif 000004
【図３】
2005304750.tif 000005
【図４】
2005304750.tif 000006
【図５】
2005304750.tif 000007
【図６】
2005304750.tif 000008